(57)【要約】【課題】溶接部の継手強度を、正確かつ容易に確認することができるようにしたスタッドを提供すること。【解決手段】スタッド溶接部本体１１と、トルク付加用片１２と、スタッド溶接部本体１１とトルク付加用片１２とを一体に接続するこれらより小断面の連接部１３とからなり、この連接部１３を、スタッド溶接部本体１１における溶接が完了した後、トルク付加用工具３によりトルク付加用片１２に所定の大きさのトルクをかけることにより破断する強度を有するように形成する。【選択図】図１
2006167739.tif 000002
【特許請求の範囲】
【請求項１】
スタッド溶接部本体と、トルク付加用片と、該スタッド溶接部本体とトルク付加用片とを一体に接続するこれらより小断面の連接部とからなり、該連接部を、前記スタッド溶接部本体における溶接が完了した後、トルク付加用工具によりトルク付加用片に所定の大きさのトルクをかけることにより破断する強度を有するように形成したことを特徴とするスタッド。
【請求項２】
トルク付加用片を、多角形状に形成したことを特徴とする請求項１記載のスタッド。
【請求項３】
請求項１又は２記載のスタッドのトルク付加用片にトルクをかけるためのトルク付加用工具であって、連接部が破断することによってスタッド溶接部本体から離脱したトルク付加用片が、トルク付加用工具側に吸着されるようにしたことを特徴とするトルク付加用工具。
【発明の詳細な説明】
【技術分野】
【０００１】
本発明は、スタッド及びこのスタッドに対するトルク付加用工具に関し、特に、溶接部の継手強度を確認することを可能にしたスタッド及びこのスタッドの取り扱いを容易にするためのスタッドに対するトルク付加用工具に関するものである。
【背景技術】
【０００２】
従来、土木、建築構造物や機械装置等において、部材同士を接合したり、単体の部材（スタッド）を基材等に取り付けるために、アークスタッド溶接が汎用されている。
【０００３】
ところで、アークスタッド溶接によって溶接された溶接部は、溶接後、当該箇所をハンマー等によって打撃することによって、溶接時に用いたフェルールや溶接時に発生した残滓を除去することと併せて、溶接が確実になされたかどうかを確認するようにしている。
【０００４】
しかしながら、このような打撃による溶接不良の確認は、著しい溶接不良に対しては有効であるものの、良否の境界領域にあるような溶接不良に対しては、これを見過ごしたり、溶接状態の良否を正確に判断できないという問題があった。
【発明の開示】
【発明が解決しようとする課題】
【０００５】
本発明は、上記従来のアークスタッド溶接によって溶接された溶接部の溶接不良の確認を行う場合の有する問題点に鑑み、溶接部の継手強度を、正確かつ容易に確認することができるようにしたスタッドを提供することを第１の目的とする。
【０００６】
また、本発明は、このスタッドを、容易かつ安全に取り扱うことができるようにしたスタッドに対するトルク付加用工具を提供することを第２の目的とする。
【課題を解決するための手段】
【０００７】
上記第１の目的を達成するため、本発明のスタッドは、スタッド溶接部本体と、トルク付加用片と、該スタッド溶接部本体とトルク付加用片とを一体に接続するこれらより小断面の連接部とからなり、該連接部を、前記スタッド溶接部本体における溶接が完了した後、トルク付加用工具によりトルク付加用片に所定の大きさのトルクをかけることにより破断する強度を有するように形成したことを特徴とする。
【０００８】
この場合において、トルク付加用片を、多角形状に形成することができる。
【０００９】
また、上記第２の目的を達成するため、本発明のトルク付加用工具は、上記スタッドのトルク付加用片にトルクをかけるためのトルク付加用工具であって、連接部が破断することによってスタッド溶接部本体から離脱したトルク付加用片が、トルク付加用工具側に吸着されるようにしたことを特徴とする。
【発明の効果】
【００１０】
本発明のスタッドによれば、スタッド溶接部本体と、トルク付加用片と、該スタッド溶接部本体とトルク付加用片とを一体に接続するこれらより小断面の連接部とからなり、該連接部を、前記スタッド溶接部本体における溶接が完了した後、トルク付加用工具によりトルク付加用片に所定の大きさのトルクをかけることにより破断する強度を有するように形成するようにしているので、溶接が完了した後、トルク付加用工具によりトルク付加用片にトルクをかけて破断することによって、溶接部の継手強度を、予め設定された連接部の破断強度と比較することができ、これにより、溶接部の溶接状態の良否を、正確かつ容易に確認することができる。
【００１１】
また、トルク付加用片を、多角形状に形成することにより、トルク付加用片にトルクをかけて破断する作業を、汎用の工具を使用して実施することができる。
【００１２】
また、本発明のトルク付加用工具によれば、連接部が破断することによってスタッド溶接部本体から離脱したトルク付加用片が、トルク付加用工具側に吸着されるようにしているので、スタッド溶接部本体から離脱したトルク付加用片が散乱したり、高所の施工現場から落下することを防止することができる。
【発明を実施するための最良の形態】
【００１３】
以下、本発明のスタッド及びこのスタッドに対するトルク付加用工具の実施の形態を、図面に基づいて説明する。
【実施例１】
【００１４】
図１に、本発明のスタッド及びこのスタッドに対するトルク付加用工具の一実施例を示す。
図１（Ａ）に示すように、本発明のスタッド１Ａ、１Ｂは、スタッド溶接部本体１１と、トルク付加用片１２と、スタッド溶接部本体１１とトルク付加用片１２とを一体に接続するこれらより小断面の連接部１３とからなり、この連接部１３を、スタッド溶接部本体１１における溶接が完了した後、トルク付加用工具３によりトルク付加用片１２に所定の大きさのトルクをかけることにより破断する強度を有するように形成するようにしたものである。
【００１５】
この場合において、スタッド溶接部本体１１及びトルク付加用片１２の断面形状は、円形、正六角形等の多角形状等、任意の形状に形成することができるが、このうち、トルク付加用片１２の断面形状は、正六角形等の多角形状に形成することが好ましく、これにより、トルク付加用片１２にトルクをかけて破断する作業を、汎用の工具を使用して実施することができる。
【００１６】
スタッド１Ａ、１Ｂを用いてアークスタッド溶接を行うに当たっては、図１（Ａ）に示すように、スタッドガン（図示省略）にセラミック製のフェルール２Ａ、２Ｂを装着し、フェルール２Ａ、２Ｂの周壁によりスタッド１Ａ、１Ｂのスタッド溶接部本体１１の外周を囲むようにして溶接を行うようにする。
このフェルール２Ａ、２Ｂは、アークスタッド溶接の際に、溶融した金属の漏出を抑制して、余盛欠損による溶接不良を防止するものである。
【００１７】
このようにして、溶接を行った後、溶接時に用いたフェルール２Ａ、２Ｂや溶接時に発生した残滓を除去するようにする。
【００１８】
次に、溶接が完了した後、図１（Ｃ）に示すように、スタッド１Ａ、１Ｂのトルク付加用片１２にトルク付加用工具３を装着し、トルク付加用工具３によりトルク付加用片１２にトルクをかけて連接部１３を破断するようにする。
図１（Ｄ）に、連接部１３が破断された後のスタッド１Ａ、１Ｂを示す。
これによって、溶接部１１ａの継手強度を、予め設定された連接部１３の破断強度と比較することができる。
すなわち、溶接部１１ａの継手強度が、予め設定された連接部１３の破断強度より大きい場合には、溶接部１１ａが破断せずに、連接部１３が破断することとなる。そして、この場合は、溶接部１１ａの溶接状態が良好と判断できる。
これとは逆に、溶接部１１ａの継手強度が、予め設定された連接部１３の破断強度より小さい場合には、連接部１３が破断せずに、溶接部１１ａが破断することとなる。そして、この場合は、溶接部１１ａが破断するため、溶接をし直すこととなる。
【００１９】
このように、溶接部１１ａの継手強度を、予め設定された連接部１３の破断強度と比較することによって、溶接部１１ａの溶接状態の良否を判断するため、連接部１３の破断強度が、溶接部１１ａの溶接状態の良否の判断が行える強度となるように、連接部１３の断面形状（断面積）等を設計するようにする。
【００２０】
この場合において、トルク付加用片１２にトルクをかけて連接部１３を破断するために使用するトルク付加用工具３には、必要に応じて、連接部１３が破断することによってスタッド溶接部本体１１から離脱したトルク付加用片１２が、トルク付加用工具３側に吸着される手段、具体的には、トルク付加用片１２が鉄等の磁性体製の場合には、トルク付加用工具３のトルク付加用片１２への嵌合部に磁石３１を配設したり、非磁性体製の場合でも吸着できるように粘着剤を配するようにする。
これにより、スタッド溶接部本体１１から離脱したトルク付加用片１２が散乱したり、高所の施工現場から落下することを防止することができる。
【００２１】
上記スタッド１Ａ、１Ｂによれば、スタッド溶接部本体１１と、トルク付加用片１２と、スタッド溶接部本体１１とトルク付加用片１２とを一体に接続するこれらより小断面の連接部１３とからなり、この連接部１３を、スタッド溶接部本体１１における溶接が完了した後、トルク付加用工具３によりトルク付加用片１２に所定の大きさのトルクをかけることにより破断する強度を有するように形成するようにしているので、溶接が完了した後、トルク付加用工具３によりトルク付加用片１２にトルクをかけて破断することによって、溶接部１１ａの継手強度を、予め設定された連接部１３の破断強度と比較することができ、これにより、溶接部１１ａの溶接状態の良否を、正確かつ容易に確認することができる。
【００２２】
また、上記トルク付加用工具３によれば、連接部１３が破断することによってスタッド溶接部本体１１から離脱したトルク付加用片１２が、トルク付加用工具３側に吸着されるようにしているので、スタッド溶接部本体１１から離脱したトルク付加用片１２が散乱したり、高所の施工現場から落下することを防止することができる。
【００２３】
以上、本発明のスタッド及びこのスタッドに対するトルク付加用工具について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明のスタッド及びこのスタッドに対するトルク付加用工具は、溶接部の継手強度を正確かつ容易に確認することができ、また、スタッドを容易かつ安全に取り扱うことができることから、土木、建築構造物や機械装置等において、部材同士を接合したり、単体の部材（スタッド）を基材等に取り付けるための用途、特に、高い信頼性を必要とする用途に好適に用いることができる。
【図面の簡単な説明】
【００２５】
【図１】本発明のスタッド及びこのスタッドに対するトルク付加用工具の一実施例を示す説明図である。
【符号の説明】
【００２６】
１Ａ  スタッド
１Ｂ  スタッド
１１  スタッド溶接部本体
１１ａ  溶接部
１２  トルク付加用片
１３  連接部
２Ａ  フェルール
２Ｂ  フェルール
３    トルク付加用工具
３１  吸着部（磁石）
【図１】
2006167739.tif 000003